(57)【要約】    【課題】  作業者同士が自発的に協調して作業を行うことで、全体の作業効率を高めることのできるシステムを提供する。    【解決手段】    端末装置Ｔの自進捗状況送信手段１４は、入力された進捗状況をサーバ装置Ｓに送信する。サーバ装置Ｓの進捗状況記録手段５６は、各端末装置から送信されてくる進捗状況を記録部６０に記録する。サーバ装置Ｓの進捗状況送信手段５８は、記録部６０に記録された各端末装置からの進捗情報６４を、各端末装置Ｔに送信する。端末装置Ｔの他進捗状況取得手段１６は、各端末装置からの進捗情報６４を受信する。進捗状況表示手段１８は、地図上に、自らの進捗状況と他の進捗状況を表示する。【選択図】  図１
2016012243.tif 000002
【特許請求の範囲】
【請求項１】
端末装置およびサーバ装置を備えた作業管理システムであって、
前記端末装置は、
現在位置を取得して、記録する現在位置取得手段と、
取得した自らの端末装置の位置をサーバ装置に送信する自端末位置送信手段と、
他の端末装置の位置を前記サーバ装置から取得する他端末位置取得手段と、
自端末位置および他端末位置を地図上に表示する端末位置表示手段と、
入力された自らの作業の進捗状況をサーバ装置に送信する自進捗状況送信手段と、
他の作業の進捗状況をサーバ装置から取得する他進捗状況取得手段と、
他進捗状況を地図上に表示する進捗状況表示手段とを備え、
前記サーバ装置は、
受信した各端末装置の位置を記録する端末位置記録手段と、
記録された各端末装置の位置を、各端末装置に送信する端末位置送信手段と、
受信した各端末装置の進捗状況を記録する進捗状況記録手段と、
記録された各進捗状況を、各端末装置に送信する進捗状況送信手段とを備えていることを特徴とする作業管理システム。
【請求項２】
現在位置を取得して、記録する現在位置取得手段と、
取得した自らの端末装置の位置をサーバ装置に送信する自端末位置送信手段と、
他の端末装置の位置を前記サーバ装置から取得する他端末位置取得手段と、
自端末位置および他端末位置を地図上に表示する端末位置表示手段と、
入力された自らの作業の進捗状況をサーバ装置に送信する自進捗状況送信手段と、
他の作業の進捗状況をサーバ装置から取得する他進捗状況取得手段と、
他進捗状況を地図上に表示する進捗状況表示手段と、
を備えた端末装置。
【請求項３】
端末装置をコンピュータによって実現するための端末プログラムであって、前記コンピュータを、
現在位置を取得して、記録する現在位置取得手段と、
取得した自らの端末装置の位置をサーバ装置に送信する自端末位置送信手段と、
他の端末装置の位置を前記サーバ装置から取得する他端末位置取得手段と、
自端末位置および他端末位置を地図上に表示する端末位置表示手段と、
入力された自らの作業の進捗状況をサーバ装置に送信する自進捗状況送信手段と、
他の作業の進捗状況をサーバ装置から取得する他進捗状況取得手段と、
他進捗状況を地図上に表示する進捗状況表示手段として機能させるための端末プログラム。
【請求項４】
請求項２の端末装置において、
自端末装置の現在位置が作業を行った圃場から外れると、進捗状況を入力するように促す入力告知手段をさらに備えることを特徴とする端末装置。
【請求項５】
請求項３の端末プログラムにおいて、前記コンピュータを、さらに
自端末装置の現在位置が作業を行った圃場から外れると、進捗状況を入力するように促す入力告知手段として機能させるための端末プログラム。
【請求項６】
請求項２または４の端末装置において、
作業機械の状態を検出するセンサからの出力を受け、当該センサに基づいて障害状態であると判断すると、障害状況にある旨を入力するように促す入力告知手段をさらに備えることを特徴とする端末装置。
【請求項７】
請求項３または５の端末プログラムにおいて、前記コンピュータを、さらに
作業機械の状態を検出するセンサからの出力を受け、当該センサに基づいて障害状態であると判断すると、障害状況にある旨を入力するように促す入力告知手段として機能させるための端末プログラム。
【請求項８】
請求項６の装置または請求項７のプログラムにおいて、
前記入力告知手段は、エンジンの回転数を検出するセンサからの出力を受け取り、エンジン回転数が単位時間当たりの移動距離に比べて、所定値以上である場合には、障害状況にあると判断することを特徴とする装置またはプログラム。
【発明の詳細な説明】
【技術分野】
【０００１】
この発明は、複数の作業機械を用いて農作業などを行う際の、作業管理システムに関するものである。
【背景技術】
【０００２】
機械を使った農作業は、畑に入って播種や移植、肥料散布、収穫などを行う作業と、種や苗、肥料、燃料などを補給する運搬車、収穫物を受け取って保管場所まで運搬する運搬車など、複数の機械を組み合わせて実施される。
【０００３】
また、最近増えつつある農作業受託業者は、決められた時期までに作業を終了させる必要がある。そのため、複数の作業機械を同時に稼働させて一気に作業を行っており、これらの機械を使って効率よく作業を進めることが、作業全体の効率向上に必要となってくる。
【０００４】
ところが、実際の農作業の現場においては、畑がぬかるんでいて思うように作業が進まなかったり、収穫しようとした農場で作物の倒伏や未熟の状態に遭遇し、その場所の収穫を後回しにしたりする場合があるなど、作業が予定どおり進まないことがある。その結果、運搬車は近隣で待機する時間が長くなってしまったり、複数の作業機械で同時に作業を行った場合に、個々の作業進捗に差ができてしまい、早く作業が終了した機械を、作業の遅れている場所にタイムリーに応援に出すことが難しく、機械作業全体の効率化を図ることが難しかった。
【０００５】
このような課題を解決するため、特許文献１には、各作業場所での作業の進捗状況を受信し、進捗状況にあわせて資材を運搬する運搬車に対し、移動場所の指示を出す技術が開示されている。作業進捗情報には、例えば、搭載した苗の量と、走行距離から自動的に苗の残量を計算し、苗が無くなる時期を予測して、そこに運搬車をタイムリーに派遣するようにしている。
【０００６】
また、特許文献２には、穀物の重量センサーを搭載した収穫用コンバインからセンターに対して、タンクの満了時間に関する情報を送ることで、運搬車の派遣要請を出し、センターからは運搬車の現在位置などを考慮して最適な運搬車に派遣指示を出すものが開示されている。
【先行技術文献】
【特許文献】
【０００７】
【特許文献１】特開２００４−２９５８０８
【特許文献２】特開２００２−１８６３４８
【発明の概要】
【発明が解決しようとする課題】
【０００８】
上記の従来技術は、いずれも、複数の作業機で作業を行っている場合に、作業の進捗状況を元に、センターなどから運搬車に対して指示を出すものである。このため、作業者同士が自発的に協調して作業を行うことで、全体の作業効率を高めるためのものではなかった。
【０００９】
この発明は、上記のような問題点を解決して、作業者同士が自発的に協調して作業を行うことで、全体の作業効率を高めることのできるシステムを提供することを目的とする。
【課題を解決するための手段】
【００１０】
(1)(2)(3)請求項１に係る作業管理システムは、端末装置およびサーバ装置を備えた作業管理システムであって、
前記端末装置は、現在位置を取得して、記録する現在位置取得手段と、取得した自らの端末装置の位置をサーバ装置に送信する自端末位置送信手段と、他の端末装置の位置を前記サーバ装置から取得する他端末位置取得手段と、自端末位置および他端末位置を地図上に表示する端末位置表示手段と、入力された自らの作業の進捗状況をサーバ装置に送信する自進捗状況送信手段と、他の作業の進捗状況をサーバ装置から取得する他進捗状況取得手段と、他進捗状況を地図上に表示する進捗状況表示手段とを備え、
前記サーバ装置は、受信した各端末装置の位置を記録する端末位置記録手段と、記録された各端末装置の位置を、各端末装置に送信する端末位置送信手段と、受信した各端末装置の進捗状況を記録する進捗状況記録手段と、記録された各進捗状況を、各端末装置に送信する進捗状況送信手段とを備えていることを特徴とする作業管理システム。
【００１１】
したがって、作業者が互いの進捗状況を確認することができ、また、現在位置も分かることから、相互に応援などを行うことが可能となる。
【００１２】
(4)(5)この発明に係る作業管理システムは、端末装置が、自端末装置の現在位置が作業を行った圃場から外れると、進捗状況を入力するように促す入力告知手段をさらに備えることを特徴としている。
【００１３】
したがって、進捗状況の入力忘れを低減することができる。
【００１４】
(6)(7)この発明に係る作業管理システムは、端末装置が、作業機械の状態を検出するセンサからの出力を受け、当該センサに基づいて障害状態であると判断すると、障害状況にある旨を入力するように促す入力告知手段をさらに備えることを特徴としている。
【００１５】
したがって、障害発生時における進捗状況の入力忘れを低減することができる。
【００１６】
(8)この発明に係る作業管理システムは、入力告知手段が、エンジンの回転数を検出するセンサからの出力を受け取り、エンジン回転数が単位時間当たりの移動距離に比べて、所定値以上である場合には、障害状況にあると判断することを特徴としている。
【００１７】
したがって、泥濘にはまった際の進捗状況の入力忘れを低減することができる。
【００１８】
この発明において、「現在位置取得手段」は、実施形態では、ステップＳ１がこれに対応する。
【００１９】
「自端末位置送信手段」は、実施形態では、ステップＳ７がこれに対応する。
【００２０】
「他端末位置取得手段」は、実施形態では、ステップＳ８、Ｓ９がこれに対応する。
【００２１】
「端末位置表示手段」は、実施形態では、ステップＳ１０がこれに対応する。
【００２２】
「自進捗状況送信手段」は、実施形態では、ステップＳ７がこれに対応する。
【００２３】
「他進捗状況取得手段」は、実施形態では、ステップＳ８、Ｓ９がこれに対応する。
【００２４】
「進捗状況記録手段」は、実施形態では、ステップＳ３、Ｓ４、Ｓ５がこれに対応する。
【００２５】
「進捗状況表示手段」は、実施形態では、ステップＳ１０がこれに対応する。
【００２６】
「端末位置記録手段」は、実施形態では、ステップＳ２１がこれに対応する。
【００２７】
「端末位置送信手段」は、実施形態では、ステップＳ２２がこれに対応する。
【００２８】
「進捗状況記録手段」は、実施形態では、ステップＳ２１がこれに対応する。
【００２９】
「進捗状況送信手段」は、実施形態では、ステップＳ２２がこれに対応する。
【００３０】
「進捗状況」とは、作業の進捗状況だけでなく、障害の発生や障害物の位置など、進捗に関連する状況も含む概念である。
【００３１】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００３２】
【図１】一実施形態による作業管理システムの全体構成図である。
【図２】サーバ装置Ｓのハードウエア構成である。
【図３】端末装置Ｔのハードウエア構成である。
【図４】作業管理処理のフローチャートである。
【図５】作業管理処理のフローチャートである。
【図６】画面表示例である。
【図７】位置・進捗データの例である。
【図８】画面表示例である。
【発明を実施するための形態】
【００３３】
１．全体構成
図１に、この発明の一実施形態による作業管理システムの全体構成を示す。この実施形態では、作業管理システムは、端末装置Ｔとサーバ装置Ｓを備えている。端末装置Ｔは、作業機械を運転する作業車が所持している。
【００３４】
端末装置Ｔの現在位置取得手段２は、自端末装置の現在位置を取得する。自端末位置送信手段４は、自端末の位置をサーバ装置Ｓに送信する。サーバ装置Ｓの端末位置記録手段５２は、各端末装置から送信されてくる現在位置を記録部６０に位置情報６２として記録する。なお、図１においては、一つの端末装置Ｔが示されているが、複数の端末装置Ｔがサーバ装置Ｓと通信可能に設けられている。したがって、記録部６０には、各端末装置Ｔの位置情報６２が記録されることになる。
【００３５】
サーバ装置Ｓの端末位置送信手段５４は、記録部６０に記録された各端末の位置情報６２を、各端末装置Ｔに送信する。端末装置Ｔの他端末位置取得手段６は、各端末装置の位置を受信する。
【００３６】
端末位置表示手段８は、地図上に、自端末装置の位置と、他端末装置の位置を併せて表示する。
【００３７】
端末装置Ｔの進捗状況入力手段１２は、ユーザによって入力された進捗状況を取得する。自進捗状況送信手段１４は、入力された進捗状況をサーバ装置Ｓに送信する。サーバ装置Ｓの進捗状況記録手段５６は、各端末装置から送信されてくる進捗状況を記録部６０に記録する。なお、図１においては、一つの端末装置Ｔが示されているが、複数の端末装置Ｔがサーバ装置Ｓと通信可能に設けられている。したがって、記録部６０には、各端末装置Ｔからの進捗情報６４が記録されることになる。
【００３８】
サーバ装置Ｓの進捗状況送信手段５８は、記録部６０に記録された各端末装置からの進捗情報６４を、各端末装置Ｔに送信する。端末装置Ｔの他進捗状況取得手段１６は、各端末装置からの進捗情報６４を受信する。
【００３９】
進捗状況表示手段１８は、地図上に、自らの進捗状況と他の進捗状況を表示する。
【００４０】
したがって、端末装置Ｔを持って作業を行っている作業者は、互いに、他人の進捗状況を把握することができ、また、現在位置も把握することもできるので、場合によっては、自発的に応援に行くことが可能となる。
【００４１】
２．ハードウエア構成
図２に、サーバ装置Ｓのハードウエア構成を示す。ＣＰＵ７０には、メモリ７２、通信回路７４、ハードディスク７６、ＤＶＤ−ＲＯＭドライブ７８が接続されている。通信回路７４は、インターネットに接続するためのものである。ハードディスク７６には、オペレーティングシステム８２、サーバプログラム８４が記録されている。サーバプログラム８４は、オペレーティングシステム８２と協働してその機能を発揮する。これらプログラムは、ＤＶＤ−ＲＯＭ８０に記録されたものを、ＤＶＤ−ＲＯＭドライブ７８を介して、ハードディスク７６にインストールしたものである。
【００４２】
図３に、端末装置Ｔのハードウエア構成を示す。ＣＰＵ２０には、メモリ２４、通信回路２６、ＧＰＳ受信機２８、ハードディスク３０、タッチパネル３２が接続されている。通信回路２６は、無線通信によってインターネットに接続するためのものである。ハードディスク３０には、オペレーティングシステム３４、端末プログラム３６が記録されている。端末プログラム３６は、オペレーティングシステム３４と協働してその機能を発揮する。
【００４３】
３．処理フローチャート
図４、図５に、作業管理処理のフローチャートを示す。農業機械（たとえば、コンバイン、播種機など）を操作する作業者は、それぞれが端末装置Ｔ（タブレットコンピュータ等）を有している。
【００４４】
端末装置ＴのＣＰＵ２０（以下端末装置Ｔと省略することがある）は、ＧＰＳ受信機２８からのデータを受けて、現在位置を取得する（ステップＳ１）。これにより、当該作業者が使用する農業機械の位置を得ることができる。続いて、端末装置Ｔは、表示機能を有するタッチパネル３２において、取得した現在位置を地図上に表示する（ステップＳ２）。地図データは、予め、サーバ装置Ｓと通信して取得し、ハードディスク３０に記録している。
【００４５】
なお、作業者は作業開始前に、自らがいずれの農業機械を使用するかを選択してハードディスク３０に記録するようにしている。したがって、図６に示すように、作業車の使用する農業機械の種類と位置が、地図上に表示されることになる。
【００４６】
次に、作業者が進捗状況の登録を行う場合には、タッチパネル３２の進捗登録ボタン（図示せず）を押下する。端末装置Ｔは、進捗状況の入力を受け付け、これをハードディスク３０に記録する（ステップＳ４、Ｓ５）。
【００４７】
図７に、記録された進捗状況を示す。この例では、５０％の進捗であることが示されている。なお、このような進捗率の他に、現在地が収穫物を「野積」した場所であること、現在地において作物が「倒伏」していて収穫できないエリアであること、現在地に「障害物」があること等を入力できるようになっている。
【００４８】
次に、端末装置Ｔは、現在、サーバ装置Ｓとの通信が可能であるかどうかを判断する（ステップＳ６）。通信エリア外であるなどの理由により通信可能でなければ、ステップＳ１０に進む。
【００４９】
通信可能であれば、既に記録済みの現在位置、進捗状況を、サーバ装置Ｓに送信する（ステップＳ７）。なお、通信ができなかった状態の時に記録した現在位置、進捗状況があったとしても、最新の位置・進捗のみを送信するようにしている。ただし、障害物についての情報（未送信情報）については、送信するようにしている。
【００５０】
サーバ装置ＳのＣＰＵ７０（以下、サーバ装置Ｓと省略することがある）は、現在位置および進捗状況を受信し、ハードディスク７６に記録する（ステップＳ２１）。現在位置および進捗状況は、各端末装置Ｔ1、Ｔ2・・・から送られてくるので、サーバ装置Ｓには、各作業機械の位置と進捗状況が記録されることになる。
【００５１】
続いて、端末装置Ｔは、サーバ装置Ｓに対して、他の端末装置の位置および進捗を要求する（ステップＳ８）。サーバ装置Ｓは、これを受けて、ハードディスク７６に記録された他の端末装置の位置および進捗状況を読み出して、端末装置Ｔに返信する（ステップＳ２２）。
【００５２】
端末装置Ｔは、受信した他の端末装置の位置および進捗状況を、ハードディスク３０に記録する（ステップＳ９）。このようにして、端末装置Ｔには、自らの位置および進捗、他の端末装置の位置および進捗が記録されることになる。端末装置Ｔは、タッチパネル３２において、地図上にこれらを表示する（ステップＳ１０）。
【００５３】
図８に、その表示例を示す。自らの、機械の位置１００だけでなく、他の機械の位置１０２、１１６も示されている。また、その記載による作業が、当該区画１０４に関して、５０％であることが示されている。また、区画１０６は未着手であること、区画１０８は作業完了（１００％）であることが示されている。
【００５４】
さらに、位置１１０において、作物が倒伏していることが表示されており、これを見た他の作業者は、この場所の収穫がしばらくはできないことが分かる。位置１１２にて、収穫物が野積されていることが示されている。これにより、他の作業者（トラック運転手など）は、その場所に行って積み込みを行うことが可能であることが分かる。また、位置１１４には、障害物があることが示されており、他の作業者が野積や障害物を確認して、目的の場所に直接移動することができる。
【００５５】
なお、ステップＳ６において、サーバ装置Ｓとの通信ができない状況である場合には、既に記録されている位置・進捗に基づいて、地図上への表示を行う。ただし、この場合には、最新情報で無い旨（情報取得日時を表示するようにしてもよい）を画面に表示するようにしている。
【００５６】
４．その他
(1)上記実施形態では、進捗状況の入力は、作業者の自発的な操作に任されていた。しかし、入力忘れを防止するため、端末装置Ｔの方から、所定時間ごとに進捗状況の入力を促す画面（警告音を同時に出してもよい）を表示するようにしてもよい。また、農業機械の現在位置を順次プロットし、所定時間以上いた区画（作業を行った圃場）から外れた場合（他の区画に移動、道に移動など）にも、進捗状況の入力を促す画面を出すようにしてもよい。これらの処理は、端末プログラムで行うことが好ましいが、サーバプログラムにて行うようにしてもよい。
【００５７】
(2)上記実施形態で説明した他、燃料切れ、オイル切れ、オーバーヒートなども進捗状況として入力するようにしてもよい。
【００５８】
(3)また、端末装置Ｔに農業機械の動作を検出するセンサからの出力を与えるようにし、これに基づいて、異常状況であると判断した場合には、進捗状況の入力を促す画面を出すようにしてもよい。たとえば、エンジン回転数を検出し、エンジン回転数が所定値よりも大きいにもかかわらず、現在位置がほとんど変化しない場合には（エンジン回転数が単位時間当たりの移動距離に比べて、所定値以上である場合）、泥濘にはまっている可能性がある。この場合には、泥濘にて停滞している旨を入力するよう促す画面を出す。あるいは、上記泥濘にて停滞しているというように、障害の状況を特定できる場合には、その旨を判断し、進捗状況として記録し、サーバに送信するようにしてもよい。
【００５９】
(4)上記実施形態では、農業機械について説明したが、その他の移動して作業を行う機械にも適用することができる。
【図１】
2016012243.tif 000003
【図２】
2016012243.tif 000004
【図３】
2016012243.tif 000005
【図４】
2016012243.tif 000006
【図５】
2016012243.tif 000007
【図７】
2016012243.tif 000008
【図６】
2016012243.tif 000009
【図８】
2016012243.tif 000010